【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
複数の第１のテーパ部材と、前記第１のテーパ部材と相互に作用し、前記第１のテーパ部材に対して軸方向に移動可能な複数の第２のテーパ部材とを有し、前記第１および第２のテーパ部材は円筒体の外表面を形成し、前記外表面は、前記第１のテーパ部材と前記第２のテーパ部材の間の軸方向の移動の作用として可変の有効直径を有している、直径が可変の回転する円筒体を有する印刷装置。
【請求項２】
前記第１のテーパ部材は、前記第２のテーパ部材の第２の接触面と接触する第１の接触面を有する、請求項１に記載の印刷装置。
【請求項３】
前記第１および第２の接触面は、前記円筒体の有効幅全体にわたって常に接触している、請求項２に記載の印刷装置。
【請求項４】
前記外表面は動作可能な領域内に開口部を有していない、請求項１に記載の印刷装置。
【請求項５】
前記第１のテーパ部材を前記第２のテーパ部材に対して移動させることによって前記円筒体の有効直径を調整する直径設定器をさらに有する、請求項１に記載の印刷装置。
【請求項６】
第１の前記直径設定器は、ねじ部を備えた軸を有している、請求項１に記載の印刷装置。
【請求項７】
前記複数の第１のテーパ部材の数が奇数である、請求項１に記載の印刷装置。
【請求項８】
前記複数の第１のテーパ部材の数が、３個、５個、７個、または９個である、請求項１に記載の印刷装置。
【請求項９】
前記円筒体は、印刷機の版胴、ブランケット胴、およびインキ着けローラのうちの１つである、請求項１に記載の印刷装置。
【請求項１０】
第１の前記回転する円筒体と一緒にニップ部を形成する第２の回転する円筒体と、前記第１の回転する円筒体を駆動する第１のモータと、前記第２の回転する円筒体を駆動する第２のモータと、前記第１の回転する円筒体の有効直径の関数として前記第１のモータと前記第２のモータの間にトルクを分配するトルクコントローラとをさらに有する、請求項１に記載の印刷装置。
【請求項１１】
前記可変の有効直径は、前記第１の回転する円筒体の有効幅全体にわたって同じである、請求項１に記載の印刷装置。
【請求項１２】
前記第２の回転する円筒体は、直径が可変の回転体である、請求項１０に記載の印刷装置。
【請求項１３】
前記第１および第２の回転する円筒体は、オフセット平版印刷機のインキ着けローラ、版胴、またはブランケット胴である、請求項１に記載の印刷装置。
【請求項１４】
前記直径が可変の回転する円筒体は、横方向に見当を合わせられる、請求項１に記載の印刷装置。
【請求項１５】
複数の第１のテーパ部材を、相互に作用する複数の第２のテーパ部材の間を軸方向に移動させることによって、印刷装置の一部である円筒体の有効直径を変更するステップを含み、前記第１および第２のテーパ部材は前記円筒体の外表面を形成する、円筒体の有効直径を変える方法。
【請求項１６】
前記円筒体を回転させるステップをさらに含む、請求項１５に記載の方法。
【請求項１７】
前記有効直径を変えることによって、前記円筒体の駆動モータのトルクを変えるステップをさらに含む、請求項１５に記載の方法。
【請求項１８】
インキの受け渡し量を前記有効直径の関数として変えるステップをさらに含む、請求項１５に記載の方法。
【請求項１９】
前記有効直径を変えることによって版を固定するステップをさらに含む、請求項１５に記載の方法。
【請求項２０】
ニップ部における微小な滑り、巻き取り紙の速度、２つのニップ部の間の全範囲における第１の張力、搬出部における第２の張力、および搬入部における第３の張力のうちの少なくとも１つを、前記有効直径を変更するステップの作用として調整するステップをさらに含む、請求項１５に記載の方法。
【請求項２１】
前記回転する円筒体を他の物体と接触するように、または接触しなくなるように移動させるステップと、前記回転する円筒体と他の物体との間の接触圧を、前記有効直径を変更するステップの作用として調整するステップのうちの少なくとも１つをさらに含む、請求項１５に記載の方法。
【請求項２２】
折りたたみ装置における折丁の切断を変更するステップと、折りたたみ胴の経路の長さを、前記有効直径を変更するステップの作用として変えるステップのうちの少なくとも１つをさらに含む、請求項１５に記載の方法。
【請求項２３】
円筒状体の外表面を形成する、半径方向へ広がることができる複数のセグメントを有する、印刷機に用いられる円筒状体。
【請求項２４】
前記円筒状体は、版胴、ブランケット胴、インキ着け胴、折りたたみ胴、または湿し胴のうちの１つである、請求項２３に記載の円筒状体。
【請求項２５】
前記外表面に取り付けられている版をさらに有する、請求項２３に記載の円筒状体。
【請求項２６】
回転体の外表面を形成する、半径方向へ広がることができる複数のセグメントを有する回転体の有効直径を変えるために、前記広がることができるセグメントを半径方向の外側または内側へ移動させるステップを含む、印刷機に用いられる回転体の直径を変える方法。
【請求項２７】
前記回転体に版を取り付けるステップをさらに含む、請求項２６に記載の方法。
【請求項２８】
巻き取り紙の張力または速度を前記有効直径の関数として変更するステップをさらに含む、請求項２６に記載の方法。
【手続補正２】
【補正対象書類名】明細書
【補正対象項目名】０００４
【補正方法】変更
【補正の内容】
【０００４】
コイルばねの下では、ばね（部材３６と３７）が、セグメント（数字３１〜３４で示される）を円錐台状の回転部材に向けて押し付けている。この回転部材が方向Ｆへ軸方向に移動すると、セグメントが方向Ａに移動することによって直径が変化する。その結果、コイルばねの外周と、各部材間の両方に、未だに空間が生じている。
【手続補正３】
【補正対象書類名】明細書
【補正対象項目名】００１１
【補正方法】変更
【補正の内容】
【００１１】
【課題を解決するための手段】
本発明は、複数の第１のテーパ部材と、第１のテーパ部材と相互に作用し、第１のテーパ部材に対して軸方向に移動可能な複数の第２のテーパ部材とを有し、第１および第２のテーパ部材は円筒状体の外表面を形成し、外表面は、第１のテーパ部材と第２のテーパ部材の間の軸方向の移動の作用として可変の有効直径を有している、直径が可変の円筒状体を提供する。
【手続補正４】
【補正対象書類名】明細書
【補正対象項目名】００２６
【補正方法】変更
【補正の内容】
【００２６】
この印刷機は、第１の円筒体と一緒にニップ部を形成する第２の円筒体と、第１の円筒体を駆動する第１のモータと、第２の円筒体を駆動する第２のモータと、直径が可変の胴の直径の関数として第１のモータと第２のモータの間にトルクを分配するトルクコントローラとを有する。
【手続補正５】
【補正対象書類名】明細書
【補正対象項目名】００３１
【補正方法】変更
【補正の内容】
【００３１】
本発明は、複数の第１のテーパ部材を、相互に作用する複数の第２のテーパ部材の間を軸方向に移動させることによって、印刷装置の一部である円筒体の有効直径を変更するステップを含む、第１および第２のテーパ部材は円筒体の外表面を形成する、印刷機の回転体の有効直径を変える方法も提供する。
【手続補正６】
【補正対象書類名】明細書
【補正対象項目名】００３２
【補正方法】変更
【補正の内容】
【００３２】
この方法は、直径を変えることによって、円筒体の駆動モータのトルクを変えるステップをさらに含んでいてもよい。
【手続補正７】
【補正対象書類名】明細書
【補正対象項目名】００３３
【補正方法】変更
【補正の内容】
【００３３】
この方法は、インキまたは湿し水の受け渡し量を直径の関数として変えるステップを含んでいてもよい。
【手続補正８】
【補正対象書類名】明細書
【補正対象項目名】００３４
【補正方法】変更
【補正の内容】
【００３４】
この方法は、円筒体の有効直径を変えることによって、ブランケットまたは版のような印刷用の版を円筒体に固定するステップを含んでいてもよい。
【手続補正９】
【補正対象書類名】明細書
【補正対象項目名】００３５
【補正方法】変更
【補正の内容】
【００３５】
さらに加えて、この方法は、ニップ部における微小な滑りを制御するステップ、または、巻き取り紙の速度、２つのニップ部の間の全範囲における張力、搬出部における張力、または搬入部における張力を調整するステップを含んでいてもよい。
【手続補正１０】
【補正対象書類名】明細書
【補正対象項目名】００３７
【補正方法】変更
【補正の内容】
【００３７】
第１および第２のテーパ部材がそれぞれ独立して駆動されるならば、この方法は、直径を変えるステップよりもむしろ、第１および第２のテーパ部材を同じ方向に移動させることによって、円筒体を側面に沿って移動させるステップを含んでもよい。
【手続補正１１】
【補正対象書類名】明細書
【補正対象項目名】００４０
【補正方法】変更
【補正の内容】
【００４０】
図１は、第１のテーパ部材１２ａ，１２ｂ，１２ｃ，１２ｄ，１２ｅ，１２ｆ，１２ｇと、第２のテーパ部材２２ａ，２２ｂ，２２ｃ，２２ｄ，２２ｅ，２２ｆ，２２ｇを有し、幅がｗである円筒体１０を示している。第１のテーパ部材１２ａ，１２ｂ，１２ｃ，１２ｄ，１２ｅ，１２ｆ，１２ｇの各々は、第１のテーパ部材のそれぞれに軸方向に固定して取り付けられている７本のアーム２１２を有する第１の共通アクチュエータ１１２に、内表面が接続されているが、半径を変えることができる。第２のテーパ部材２２ａ，２２ｂ，２２ｃ，２２ｄ，２２ｅ，２２ｆ，２２ｇも、同様に第２の共通アクチュエータ１２２に取り付けられている。第１のテーパ部材１２ａ，１２ｂ，１２ｃ，１２ｄ，１２ｅ，１２ｆ，１２ｇと第２のテーパ部材２２ａ，２２ｂ，２２ｃ，２２ｄ，２２ｅ，２２ｆ，２２ｇは、例えば蟻つぎ３０によって、互いにスライド可能に接続されている。図４は、アクチュエータ１１２の考えられる一実施形態をさらに詳細に図示している。アクチュエータ１１２のアーム２１２は、第１のテーパ部材１２ａ，１２ｂ，１２ｃ，１２ｄ，１２ｅ，１２ｆ，１２ｇに固定して接続されている。アーム２１２は、軸４１２に固定して接続されたプレート３１２にも固定して接続されている。軸４１２は、一端に雄ねじ部４１３を有している。アクチュエータ１１２は、駆動軸６２を有する駆動モータ６０も有している。駆動軸６２は、軸４１２の雄ねじ部４１３と噛み合う雌ねじ部６３に接続されている。雌ねじ部６３の一端には、駆動軸６２を軸４１２に選択的に接続するクラッチ６４がある。図１の円筒体１０が駆動されると、クラッチ６４は、軸６２と４１２が一緒に回転するように係合状態となる。クラッチ６４が非係合状態で、かつ駆動モータ６０が駆動される時に、雌ねじ部６３を介して軸６２によって、雄ねじ部４１３が、軸４１２、プレート３１２、およびアーム２１２を駆動モータ６０から離れるように引くか、または駆動モータ６０に向けて押すように、駆動モータ６０は固定されているのが好ましい。
【手続補正１２】
【補正対象書類名】明細書
【補正対象項目名】００４２
【補正方法】変更
【補正の内容】
【００４２】
このように、アクチュエータ１１２は、クラッチ６４が非係合状態のときには、第１のテーパ部材１２ａ，１２ｂ，１２ｃ，１２ｄ，１２ｅ，１２ｆ，１２ｇを軸方向に移動させるように、駆動モータ６０によって作動できる。クラッチ６４が係合状態のときには、胴全体が駆動モータ６０で駆動可能であり、また、モータが第２のアクチュエータ１２２に取り付けられている場合には両方のモータで駆動可能である。
【手続補正１３】
【補正対象書類名】明細書
【補正対象項目名】００６４
【補正方法】変更
【補正の内容】
【００６４】
円筒体は、折りたたみ装置における折丁の切断を変更するためや、折りたたみ胴の経路の長さを、直径を変更するステップの作用として変えるために用いることもできる。